(57)【要約】【課題】  ＣＰＵのマグネットリングの回転調整の作業性を低下させることなく、偏向ヨークを固定する金属バンドや金属ネジと速度変調コイルとの間の放電を防止する。【解決手段】  偏向ヨークの絶縁枠３５は金属バンド３７及び金属ネジ３８でファンネル１２に固定される。ＣＰＵ４０のマグネットリングを保持するホルダ４５に一体成形された衝立は、管軸に沿ってホルダ側から偏向ヨークを見たとき金属ネジを隠すように第１軸上に設けられた第１衝立４６ａと、第１軸と直交する第２軸上に設けられた第２衝立４６ｂとを備える。第１衝立の高さＨ1、第２衝立の高さＨ2、衝立の最小高さＨmin、最も偏向ヨーク側のマグネットリングの摘み部の高さＨM、摘み部を除いたマグネットリングの外周縁径ＲMは、Ｈ1＞Ｈ2、ＨM−Ｈ2＞１０ｍｍ、Ｈmin＞ＲMを満たす。【選択図】  図５
2006012728.tif 000002
【特許請求の範囲】
【請求項１】
内面に蛍光体スクリーンが形成されたパネルと、前記パネルと接合されたファンネルと、前記ファンネルのネック部内に収納された電子銃とを有する陰極線管と、
前記ファンネルの外周面上に設けられ、前記電子銃から射出された電子ビームを水平方向及び垂直方向に偏向させ前記蛍光体スクリーン上を走査させる偏向ヨークと、
管軸方向において前記偏向ヨークよりも前記電子銃側の位置に、前記ファンネルに外挿された略円筒形状のホルダと、前記ホルダの外周面上に設けられた複数対の環状のマグネットリングとを有するＣＰＵと、
前記ホルダに保持された速度変調コイルと
を備えたカラー陰極線管装置であって、
前記偏向ヨークは、前記電子ビームを水平方向に偏向させる水平偏向コイルと、前記電子ビームを垂直方向に偏向させる垂直偏向コイルと、前記水平偏向コイル及び前記垂直偏向コイルの間の絶縁を確保する絶縁枠と、前記絶縁枠の前記ホルダ側端に設けられた円筒部を前記ファンネルに固定するための金属バンドと、前記金属バンドの両端を締結する金属ネジとを備え、
前記ホルダは、前記速度変調コイルよりも前記偏向ヨーク側の位置に、管軸に対して直交する衝立を備え、
前記衝立は前記ホルダと一体成形されてなり、
前記金属ネジは管軸と直交する第１軸上に配置されており、
前記衝立は、管軸に沿って前記ホルダ側から前記偏向ヨークを見たとき前記金属ネジを隠すように前記第１軸上に設けられた第１衝立と、前記第１軸及び管軸と直交する第２軸上に設けられた第２衝立とを備え、
前記第１衝立の管軸からの高さをＨ1、前記第２衝立の管軸からの高さをＨ2、前記衝立の管軸からの最小高さをＨmin、前記複数対のマグネットリングのうち最も前記偏向ヨーク側に配置された一対の第１マグネットリングの、管軸回りの回転操作を行うための摘み部の管軸からの高さをＨM、一対の前記第１マグネットリングの前記摘み部を除いた部分の外周縁の管軸からの距離をＲMとしたとき、Ｈ1＞Ｈ2、ＨM−Ｈ2＞１０ｍｍ、Ｈmin＞ＲMを満足することを特徴とするカラー陰極線管装置。
【請求項２】
一対の前記第１マグネットリングの、管軸回りの回転操作を行うための前記摘み部は、管軸に沿って見たとき、前記第２衝立と管軸回りの位置が重なり合っている請求項１に記載のカラー陰極線管装置。
【請求項３】
前記金属バンドと前記速度変調コイルとの間の管軸方向の距離が１０ｍｍ以下である請求項１に記載のカラー陰極線管装置。
【請求項４】
前記金属バンドと一対の前記第１マグネットリングとの間の管軸方向の距離が１０ｍｍ以下である請求項１に記載のカラー陰極線管装置。
【発明の詳細な説明】
【技術分野】
【０００１】
本発明はカラー陰極線管装置に関する。
【背景技術】
【０００２】
カラー陰極線管装置は、パネルとファンネルとが接合されてなる外囲器内に電子銃が収納されたカラー陰極線管と、ファンネルの外周面上に設けられた偏向ヨークとを備える。電子銃から射出された３本の電子ビームは、偏向ヨークにより水平方向及び垂直方向に偏向されて、パネルの内面に形成された蛍光体スクリーン上を走査する。
【０００３】
偏向ヨークは水平偏向磁界を発する水平偏向コイルと垂直偏向磁界を発する垂直偏向コイルと、これらの間に設けられた絶縁枠とを含む。絶縁枠は、水平偏向コイルと垂直偏向コイルとの間の電気的な絶縁状態を維持すると共に、両偏向コイルを支持する。絶縁枠の電子銃側端の略円筒状部分の外周面上に略Ω字状の金属バンドを装着し、その両端を金属ネジで締結することにより、偏向ヨークはファンネルに固定される。
【０００４】
このようなカラー陰極線管装置では、画像の輪郭を強調して高画質化を実現するために、速度変調コイルが用いられる。速度変調コイルは、ファンネルの偏向ヨークより電子銃側の位置に、垂直方向に対向するように取り付けられた一対のループ状のコイルからなる。速度変調コイルに垂直方向の磁界を発生させて電子ビームの水平走査速度を変調することにより画像の輪郭強調を行なう（例えば、特許文献１，２参照）。
【０００５】
また、管軸方向において、速度変調コイルと重複する位置に、ＣＰＵ（Ｃｏｎｖｅｒｇｅｎｃｅ  ａｎｄ Ｐｕｒｉｔｙ  Ｕｎｉｔ）が配置される。ＣＰＵは、２極マグネットリング、４極マグネットリング、及び６極マグネットリングと、ファンネルのネック部に外挿され、これらのマグネットリングを保持する円筒形状のホルダとからなる。２極、４極、６極の各マグネットリングは、いずれも円環状の２枚の磁石が重ね合わせされて構成される。各マグネットリングの管軸回りの回転角度を調整することにより、電子ビームの静コンバーゼンス及びピュリティーが最適化される。
【０００６】
偏向ヨークが位置する場所のファンネルの内壁面には導電膜が塗布されており、これにアノードコンタクトより高電圧が供給されている。従って、カラー陰極線管装置の電源のＯＮ又はＯＦＦ時に、上記高電圧が供給される導電膜からファンネル及び偏向ヨークの絶縁枠を誘電体として、偏向ヨークを固定する上記の略Ω字状の金属バンド及び金属ネジが帯電し、これらの近傍に配置された速度変調コイルに向かって、放電（スパーク）が生じることがある。このような放電は、速度変調コイルを駆動する電気回路に損傷を与える。
【０００７】
この放電の発生を防止するために、例えば、偏向ヨークを固定する上記の略Ω字状の金属バンドをリード線を介して接地することにより電荷を逃がす方法が考えられる。しかし、この方法では、リード線を接続する必要があるので、部品点数と製造工数が増え、コスト増を招く。
【０００８】
また、偏向ヨークを固定する金属バンドと速度変調コイルとの管軸方向距離を拡大して放電を生じにくくすることが考えられる。しかし、この方法では、カラー陰極線管装置の管軸方向寸法が増大する。また、一般に、画質向上の観点からは、速度変調コイルの蛍光体スクリーン側端の管軸方向位置は蛍光体スクリーンに近いほど有利であると考えられており、本方法はこれに反する。
【０００９】
特許文献３には、金属バンドと速度変調コイルとの間に、ＣＰＵのホルダに脱着可能な円板状のバリアを設けることが記載されている。特許文献３には、このバリアが金属バンドから速度変調コイルへ向かう放電路が形成されるのを阻止するので、放電が発生するのを防止することができると記載されている。また、バリアをＣＰＵのホルダと別部材とすることにより、バリアを絶縁抵抗の低い導電性樹脂又は金属で形成することができ、その結果、放電を更に低減できると記載されている。
【特許文献１】実公昭５７−４５６５０号公報
【特許文献２】特開平６−２８３１１３号公報
【特許文献３】実用新案登録第３０９７４５８号公報
【発明の開示】
【発明が解決しようとする課題】
【００１０】
しかしながら、特許文献３に示されたバリアでは放電の発生を十分に防止することができない。これを、図７を用いて説明する。
【００１１】
図７は、カラー陰極線管装置のネック部に装着されたＣＰＵ周辺の構成を示した垂直方向断面図である。管軸に対してほぼ対称な構成を有するので、図では管軸に対して一方の側のみを示している。１１０はカラー陰極線管の管軸、１２０はファンネルのネック部、１３０はファンネルの外周面に装着された偏向ヨーク、１３５は偏向ヨーク１３０の絶縁枠、１３７は偏向ヨーク１３０の絶縁枠１３５をネック部１２０に固定する金属バンド、１４０はＣＰＵを構成する円環状のマグネットリング、１４５はマグネットリング１４０を保持する円筒形状のホルダ、１５０はホルダ１４５の溝１４８ａ，１４８ｂに嵌め込まれた速度変調コイル、１７０はホルダ１４５の溝１４８ａに係止されたバリアである。金属バンド１３７の両端を締結する金属ネジは図示を省略している。
【００１２】
この構成において、偏向ヨーク１３０に蓄積した電荷量がある値を超えると、金属バンド１３７から、ネック部１２０の外周面、ネック部１２０とバリア１７０の内周面との間、バリア１７０とホルダ１４５との間を順に通り、溝１４８ａ内の速度変調コイル１５０に至る放電路が形成される。このように、金属バンド１３７と速度変調コイル１５０との間にバリア１７０を設けても、金属バンド１３７と速度変調コイル１５０との間に比較的短い沿面距離の放電路が形成されるので、放電の発生を完全に防止することはできない。
【００１３】
また、ＣＰＵのマグネットリング１４０の管軸回りの回転位置の調整作業は、実際に画面に表示された画像を見ながら行われる。従って、金属バンド１３７と速度変調コイル１５０との間に放電の発生を防止するためのバリア１７０を配置する場合には、バリア１７０に対して蛍光体スクリーンとは反対側に配置されるＣＰＵのマグネットリング１４０の回転調整の作業性が低下しないように考慮する必要がある。
【００１４】
本発明は、ＣＰＵのマグネットリングの回転調整の作業性を低下させることなく、偏向ヨークを固定する金属バンドや金属ネジと速度変調コイルとの間に放電が発生するのを防止できるカラー陰極線管装置を提供することを目的とする。
【課題を解決するための手段】
【００１５】
本発明のカラー陰極線管装置は、内面に蛍光体スクリーンが形成されたパネルと、前記パネルと接合されたファンネルと、前記ファンネルのネック部内に収納された電子銃とを有する陰極線管と、前記ファンネルの外周面上に設けられ、前記電子銃から射出された電子ビームを水平方向及び垂直方向に偏向させ前記蛍光体スクリーン上を走査させる偏向ヨークと、管軸方向において前記偏向ヨークよりも前記電子銃側の位置に、前記ファンネルに外挿された略円筒形状のホルダと、前記ホルダの外周面上に設けられた複数対の環状のマグネットリングとを有するＣＰＵと、前記ホルダに保持された速度変調コイルとを備える。
【００１６】
前記偏向ヨークは、前記電子ビームを水平方向に偏向させる水平偏向コイルと、前記電子ビームを垂直方向に偏向させる垂直偏向コイルと、前記水平偏向コイル及び前記垂直偏向コイルの間の絶縁を確保する絶縁枠と、前記絶縁枠の前記ホルダ側端に設けられた円筒部を前記ファンネルに固定するための金属バンドと、前記金属バンドの両端を締結する金属ネジとを備える。
【００１７】
前記ホルダは、前記速度変調コイルよりも前記偏向ヨーク側の位置に、管軸に対して直交する衝立を備え、前記衝立は前記ホルダと一体成形されてなり、前記金属ネジは管軸と直交する第１軸上に配置されている。
【００１８】
そして、前記衝立は、管軸に沿って前記ホルダ側から前記偏向ヨークを見たとき前記金属ネジを隠すように前記第１軸上に設けられた第１衝立と、前記第１軸及び管軸と直交する第２軸上に設けられた第２衝立とを備え、前記第１衝立の管軸からの高さをＨ1、前記第２衝立の管軸からの高さをＨ2、前記衝立の管軸からの最小高さをＨmin、前記複数対のマグネットリングのうち最も前記偏向ヨーク側に配置された一対の第１マグネットリングの、管軸回りの回転操作を行うための摘み部の管軸からの高さをＨM、一対の前記第１マグネットリングの前記摘み部を除いた部分の外周縁の管軸からの距離をＲMとしたとき、Ｈ1＞Ｈ2、ＨM−Ｈ2＞１０ｍｍ、Ｈmin＞ＲMを満足する。
【発明の効果】
【００１９】
本発明によれば、ＣＰＵのマグネットリングの回転調整の作業性を低下させることなく、偏向ヨークを固定する金属バンドや金属ネジと速度変調コイルとの間に放電が発生しにくいカラー陰極線管装置を提供できる。
【発明を実施するための最良の形態】
【００２０】
図１は本発明の一実施形態に係るカラー陰極線管装置１の概略構成を示す半断面図である。以下の説明の便宜のために、管軸をＺ軸、水平方向（スクリーンの長辺方向）軸をＸ軸、垂直方向（スクリーンの短辺方向）軸をＹ軸とする。Ｘ軸とＹ軸とはＺ軸上にて直交する。図１では、Ｚ軸より上側に断面図を、下側に外観図をそれぞれ示している。
【００２１】
図１に示すように、カラー陰極線管装置１は、カラー陰極線管１０、偏向ヨーク３０、ＣＰＵ４０、および速度変調コイル５０を備える。
【００２２】
カラー陰極線管１０は、フェースパネル１１とファンネル１２とが接合されてなるガラスバルブ（外囲器）と、フェースパネル１１の内側に取り付けられたシャドウマスク１５と、ファンネル１２のネック部１３内に収納されたインライン型電子銃（以下、単に「電子銃」と言う。）１６とを備える。
【００２３】
フェースパネル１１の内面には、赤、緑、青の各蛍光体ドット（又は蛍光体ストライプ）が規則正しく配列されてなる蛍光体スクリーン１４が形成されている。シャドウマスク１５は蛍光体スクリーン１４に対して略一定間隔だけ離間して設けられている。シャドウマスク１５には電子ビーム通過孔が多数設けられている。電子銃１６から射出される３本の電子ビーム１８（３本の電子ビームはＸ軸と平行な一直線上に配列されるため、図では手前の１本の電子ビームのみが示されている。）は、シャドウマスク１５に設けられた電子ビーム通過孔を通過して所望する蛍光体を照射する。
【００２４】
偏向ヨーク３０は、ファンネル１２の外周面上に設けられている。偏向ヨーク３０はサドル型の水平偏向コイル３１とトロイダル型の垂直偏向コイル３２とを備えている。垂直偏向コイル３２はフェライトコア３３に巻回されている。電子銃１６から射出された３本の電子ビーム１８は、水平偏向コイル３１が発する水平偏向磁界及び垂直偏向コイル３２が発する垂直偏向磁界により水平方向及び垂直方向に偏向され、蛍光体スクリーン１４上をラスタースキャン方式で走査する。水平偏向コイル３１と垂直偏向コイル３２との間には、絶縁枠３５が設けられている。絶縁枠３５は、水平偏向コイル３１と垂直偏向コイル３２との間の電気的な絶縁状態を維持すると共に、両偏向コイル３１，３２を支持する役割を果たしている。
【００２５】
図２は偏向ヨーク３０の電子銃側端の概略構成を示した斜視図である。絶縁枠３５は、その電子銃１６側端に円筒形状の円筒部３５ａを備える。円筒部３５ａの端部には、Ｚ軸とほぼ平行なスリット状の切り欠き（図示せず）が形成されている。円筒部３５ａの外周面上には、略「Ω」字状又は略「Ｃ」字状の金属バンド３７が装着され、金属バンド３７の両端は金属ネジ３８で締結されている。金属ネジ３８を用いて金属バンド３７を締め付けることにより、円筒部３５ａをファンネル１２のネック部１３に密着させることができ、その結果、偏向ヨーク３０をファンネル１２に固定することができる。金属バンド３７の開放端及びこの開放端を締結する金属ネジ３８は、Ｘ軸上に配置されている。
【００２６】
図１に示すように、ＣＰＵ４０は、ネック部１３の外周面上に、電子銃１６と管軸方向において重複する位置に設けられており、電子ビーム１８の静コンバーゼンス調整およびピュリティー調整を行なう。ＣＰＵ４０は、偏向ヨーク３０側から順に配置された、２極磁界を発する第１磁石４１、２極磁界を発する第２磁石４２、４極磁界を発する第３磁石４３、６極磁界を発する第４磁石４４を備える。第１〜第４磁石４１，４２，４３，４４は、それぞれ同一の形状及び構成を有する一対の円環状のマグネットリングよりなり、ネック部１３に外挿された略円筒形状のホルダ４５に搭載されている。
【００２７】
図３（Ａ）は、第１磁石４１の概略構成を示した分解斜視図である。第１磁石４１は、図３（Ｂ）に示すような円環状のマグネットリング４１ａ，４１ｂよりなる。マグネットリング４１ａ，４１ｂはＺ軸方向に密着させてホルダ４５に外挿される。マグネットリング４１ａ，４１ｂはそれぞれ、その外周縁に半径方向に突出した摘み部４１ａ1，４２ｂ1を備える。摘み部４１ａ1，４２ｂ1を掴んでマグネットリング４１ａ，４１ｂをＺ軸回りにそれぞれ独立して回転させることにより、各マグネットリング４１ａ，４１ｂが発する磁界の向きを変えることができる。画面に表示された画像を見ながら各マグネットリング４１ａ，４１ｂのＺ軸回りの回転位置を最適化することにより、所望の画像を得ることができる。図３（Ａ）及び図３（Ｂ）では、第１磁石４１を例に説明したが、第２〜第４磁石４２，４３，４４も、発する磁界が異なるものの、外観形状は第１磁石４１と同じである。
【００２８】
図４（Ａ）は速度変調コイル５０の概略構成を示した斜視図である。速度変調コイル５０は、Ｚ軸を含む水平方向面（ＸＺ面）を挟んで配置された一対のループ状コイル５０ａ，５０ｂからなる。一対のループ状コイル５０ａ，５０ｂは、Ｚ軸に対してほぼ対称位置に、ＣＰＵ４０のホルダ４５に取付けられている。すなわち、速度変調コイル５０は、ＣＰＵ４０に一体的に取付けられている。各ループ状コイル５０ａ，５０ｂには、映像信号を微分して得られる速度変調信号に応じた電流が通電される。
【００２９】
図４（Ｂ）に示すように、ループ状コイル５０ａ，５０ｂは、平面展開状態において、略方形である。このループコイルを構成する４辺のうち、対向する一対の辺（直線部）５１ａはＺ軸と略平行に配置され、残りの対向する一対の辺（湾曲部）５１ｂはホルダ４５の外周面の曲率に沿って略円弧状に湾曲されてＸＹ面にほぼ沿って配置される。
【００３０】
図５（Ａ）はＣＰＵ４０周辺の側面図、図５（Ｂ）は図５（Ａ）の５Ｂ−５Ｂ線での矢視断面図である。ホルダ４５は、速度変調コイル５０よりも偏向ヨーク３０側の位置に、Ｚ軸に対して直交する衝立４６を備える。
【００３１】
衝立４６は、ホルダ４５と樹脂などの絶縁材料で一体に成形されている。図７に示した従来の構成では、バリア１７０はホルダ１４５とは別部材であったため、両者間のわずかな隙間を通って放電路が形成されるという問題があった。本発明では、衝立４６とホルダ４５とが一体に成形されているので、両者間に隙間はなく、両者間に放電路は形成されない。従って、金属バンド３７及び／又は金属ネジ３８と速度変調コイル５０との間の空間距離（又は沿面距離）が拡大されるので、これらの間に放電が発生するのを防止することができる。
【００３２】
図５（Ｂ）に示されているように、衝立４６はホルダ４５の全周にわたって形成されているが、衝立４６の外周縁のＺ軸からの距離（以下、Ｚ軸から外周縁までの距離を衝立の「高さ」という）は一定ではない。即ち、衝立４６は、Ｘ軸上に設けられた相対的に高い第１衝立４６ａと、Ｙ軸上に設けられた、第１衝立４６ａより低い第２衝立４６ｂとからなる。
【００３３】
このような高さが一定でない衝立４６による作用を図６（Ａ）及び図６（Ｂ）を用いて説明する。
【００３４】
図６（Ａ）は衝立４６の周辺構造を示した上面図、図６（Ｂ）は図６（Ａ）の矢印６Ｂに沿って見た背面図である。図６（Ａ）及び図６（Ｂ）では図面を簡略化するために、第１〜第４磁石４１，４２，４３，４４の図示を省略している。
【００３５】
本発明では衝立４６とホルダ４５とが一体に成形されているので、図７に示した従来の構成と異なり、衝立４６とホルダ４５との間を通る放電は生じない。本発明において放電が発生するとすれば、その放電は、金属ネジ３８から、衝立４６の外周縁の外側を通って、速度変調コイル５０に至る経路を通るはずである。ところが、図６（Ｂ）に示すように、Ｚ軸に沿ってホルダ４５側から偏向ヨーク３０を見たとき、金属バンド３７はもちろん、金属ネジ３８も隠れるように、第１衝立４６ａの高さＨ1及びＹ軸方向幅ＷP1（図５（Ｂ）参照）が設定されている。従って、図６（Ａ）及び図６（Ｂ）に示した、第１衝立４６ａの外周縁の外側を通る第１放電路６１に沿った放電の発生を防止することができる。
【００３６】
図５（Ｂ）に示すように、第１衝立４６ａの高さをＨ1、第２衝立４６ｂの高さをＨ2としたとき、Ｈ1＞Ｈ2を満足する。このように、Ｙ軸上に設けられた第２衝立４６ｂの高さが第１衝立４６ａより低いので、ＣＰＵ４０を構成する第１〜第４磁石４１，４２，４３，４４の各マグネットリングの回転位置の調整作業を容易に行うことができる。特に、第１磁石４１を構成するマグネットリング４１ａ，４１ｂは衝立４６に最も接近しているにもかかわらず、その回転位置調整に際して衝立４６は邪魔にならない。
【００３７】
また、図３（Ｂ）に示すように、衝立４６に最も接近した第１磁石４１を構成するマグネットリング４１ａ，４１ｂの摘み部４１ａ1，４１ｂ1のＺ軸からの高さをＨMとしたとき、ＨM−Ｈ2＞１０ｍｍを満足する。これにより、摘み部４１ａ1，４１ｂ1を第２衝立４６ｂの外周縁から大きく突出させることができるので、第１磁石４１を構成するマグネットリング４１ａ，４１ｂの回転位置調整に際して衝立４６は邪魔にならない。
【００３８】
また、衝立４６の高さの最小値をＨmin（本実施形態ではＨmin＝Ｈ2）、衝立４６に最も接近した第１磁石４１を構成するマグネットリング４１ａ，４１ｂの、摘み部４１ａ1，４１ｂ1を除いた部分の外周縁のＺ軸からの距離（外周縁の半径）をＲMとしたとき、Ｈmin＞ＲMを満足する。このように、衝立４６の高さの最小値Ｈminを規定することにより、金属バンド３７（又は金属ネジ３８）から、衝立４６のうち第１衝立４６ａ以外の低い部分の外周縁の外側を通って速度変調コイル５０に至る第２放電路６２（図６（Ａ）及び図６（Ｂ）を参照）に沿った放電の発生を防止することができる。
【００３９】
本発明においては、衝立４６に最も接近した第１磁石４１を構成するマグネットリング４１ａ，４１ｂの摘み部４１ａ1，４１ｂ1は、図５（Ｂ）に示すように、Ｚ軸に沿って見たとき、第２衝立４６ｂとＺ軸回りの位置が重なり合っていることが好ましい。これにより、摘み部４１ａ1，４１ｂ1の衝立４６からの突出高さが大きくなるので、摘み部４１ａ1，４１ｂ1を把持する際に衝立４６が邪魔にならない。従って、マグネットリング４１ａ，４１ｂの回転位置調整の作業性の低下を防止できる。なお、図５（Ｂ）では、マグネットリング４１ａ，４１ｂの摘み部４１ａ1，４１ｂ1は重なり合っているが、実際には両者のＺ軸回りの回転位置が異なっている場合もある。
【００４０】
また、本発明においては、金属バンド３７と速度変調コイル５０との間のＺ軸方向の距離が１０ｍｍ以下であることが好ましい。このように速度変調コイル５０が偏向ヨーク３０に接近していることにより、速度変調コイル５０による速度変調感度が向上し、輪郭が強調されたより鮮明な画像を表示することができる。
【００４１】
また、金属バンド３７と第１磁石４１を構成するマグネットリング４１ａ，４１ｂとの間のＺ軸方向の距離が１０ｍｍ以下であることが好ましい。このように、ＣＰＵ４０が偏向ヨーク３０に接近していることにより、ＣＰＵ４０の各マグネットリングの回転調整をしたことにより発生する電子ビームスポットのフォーカス劣化を低減できる。
【００４２】
上記の実施形態では、図５（Ｂ）に示されたように、Ｚ軸に沿って見たとき、金属ネジ３８及び第１衝立４６ａはＸ軸上に配置され、第２衝立４６ｂはＹ軸上に配置されていたが、本発明はこれに限定されない。例えば、金属ネジ３８及び第１衝立４６ａがＹ軸上に配置され、第２衝立４６ｂがＸ軸上に配置されていても良い。あるいは、金属ネジ３８及び第１衝立４６ａが一方の対角軸上に配置され、第２衝立４６ｂが他方の対角軸上に配置されていても良い。
【００４３】
また、上記の実施形態では、図５（Ｂ）に示されたように、Ｚ軸に沿って見たとき、第１衝立４６ａはＺ軸に対して対称に２箇所に設けられていたが、本発明では金属ネジ３８とＺ軸方向に対向する位置のみに第１衝立４６ａが設けられていればよい。但し、図５（Ｂ）に示されたように２つの第１衝立４６ａをＺ軸に対して対称位置に設けることにより、金属バンド３７及び金属ネジ３８の取付け向きを図５（Ｂ）の状態に対してＺ軸回りに１８０度回転させても、金属ネジ３８を第１衝立４６ａに対向させることができるので、放電の発生を防止できる。従って、組立時に金属バンド３７及び金属ネジ３８の取付け向きの自由度が向上する。
【００４４】
上記の実施形態では、第１衝立４６ａの外周縁は半径Ｈ1の円弧状とし、第２衝立４６ｂの外周縁は半径Ｈ2の円弧状としたが、本発明はこれに限定されない。例えば、第１衝立４６ａ及び／又は第２衝立４６ｂの外周縁は、円弧以外の曲線、直線、又はこれらの組み合わせであっても良い。この場合、第１衝立４６ａの高さは管軸を通り金属ネジ３８の長手方向にほぼ直交する第１軸に沿った高さで定義され、第２衝立４６ｂの高さは管軸及び第１軸に直交する第２軸に沿った高さで定義されるものとする。
【実施例】
【００４５】
本発明を対角サイズ２９インチ、偏向角１０４度のカラー陰極線管装置に適用した例を示す。
【００４６】
速度変調コイル５０として、素線径０．４（ｍｍ）のポリウレタン被覆銅線を略方形に４巻したループ状コイル５０ａ，５０ｂを用いた。図４（Ｂ）に示すようにループ状コイル５０ａ，５０ｂを平面上に展開した状態において、直線部５１ａに沿った寸法Ｌ＝２５（ｍｍ）、湾曲部５１ｂに沿った幅（平面展開状態）Ｗ１＝３５（ｍｍ）とした。この一対のループ状コイル５０ａ，５０ｂを、湾曲部５１ｂを略円弧状に屈曲してホルダ４５に取り付けたとき、図５（Ｂ）において、一対のループ状コイル５０ａ，５０ｂの外径φＤC＝３３．５（ｍｍ）、Ｘ軸方向寸法Ｗ２＝約２８（ｍｍ）であった。ここで、一対のループ状コイル５０ａ，５０ｂの外径φＤCとは、ループ状コイル５０ａ，５０ｂに外接する仮想の円筒面の直径を意味する。
【００４７】
図５（Ｂ）において、金属ネジ３８の頭部の外径φＤB＝７（ｍｍ）、長さＬB＝２４（ｍｍ）であった。また、円筒部３５ａの外周面上に装着した略Ω字状の金属バンド３７を金属ネジ３８を用いて締め付けた状態において、金属バンド３７及び金属ネジ３８のうちＺ軸から最も遠い箇所（本例では金属ネジ３８の頭部の角部）に接する、Ｚ軸を中心とする仮想の円筒面（即ち、図５（Ｂ）において、Ｚ軸を中心とする、金属バンド３７及び金属ネジ３８の外接円）３９の半径ＲB＝２７．５（ｍｍ）であった。
【００４８】
図３（Ｂ）に示すように、ＣＰＵ４０の第１磁石４１を構成する一対のマグネットリング４１ａ，４１ｂの摘み部４１ａ1，４２ｂ1を除いた円環状部分の外周縁のＺ軸からの距離（外周縁の半径）ＲM＝２２．５（ｍｍ）、摘み部４１ａ1，４２ｂ1の幅ＷM＝８（ｍｍ）、円環状部分の中心（Ｚ軸）から摘み部４１ａ1，４２ｂ1の先端までの距離ＨM＝３７（ｍｍ）とした。第２〜第４磁石４２，４３，４４をそれぞれ構成する一対のマグネットリングの外形寸法は、一対のマグネットリング４１ａ，４１ｂと同一とした。
【００４９】
図５（Ａ）において、ホルダ４５の偏向ヨーク３０側端の位置にホルダ４５と一体成形された衝立４６の厚さ（Ｚ軸方向寸法）ＴP＝１．５（ｍｍ）とした。図５（Ｂ）において、第１衝立４６ａの外周縁はＺ軸を中心とする半径Ｈ1の円弧状とし、第２衝立４６ｂの外周縁はＺ軸を中心とする半径Ｈ2の円弧状とした。衝立４６の高さの最小値Ｈminは、Ｈmin＝Ｈ2である。第１衝立４６ａのＹ軸方向寸法ＷP1＝２８（ｍｍ）とした。
【００５０】
金属バンド３７と速度変調コイル５０との間のＺ軸方向の距離は４．０（ｍｍ）であった。また、金属バンド３７と第１磁石４１の金属バンド３７側に配置されるマグネットリング４１ａとの間のＺ軸方向の距離は８．５（ｍｍ）であった。
【００５１】
第１衝立４６ａの高さＨ1及び第２衝立４６ｂの高さＨ2を種々に変えて、以下の２点について評価した。
【００５２】
１．放電の発生の有無：
カラー陰極線管装置の電源のＯＮ又はＯＦＦ時に金属バンド３７又は金属ネジ３８と速度変調コイル５０との間での放電の発生の有無を調べた。放電が発生した場合、更にその放電経路についても調べた。図６（Ａ）及び図６（Ｂ）に示すように、放電が、第１衝立４６ａの外周縁の外側を通る第１放電路６１に沿った放電である場合、「１」とし、第２衝立４６ｂの外周縁の外側を通る第２放電路６２に沿った放電である場合、「２」とした。
【００５３】
２．マグネットリング４１ａ，４１ｂの回転調整の作業性：
表示された画像を観察しながら、衝立４６に最も接近した第１磁石４１を構成するマグネットリング４１ａ，４１ｂの回転位置を最適に調整する際に、衝立４６が邪魔になるか否かを評価した。邪魔にならない場合を「良」、邪魔になる場合を「不良」とした。なお、回転位置を最適調整した後において、Ｚ軸に沿って見たとき、マグネットリング４１ａ，４１ｂの摘み部４１ａ1，４２ｂ1は、第２衝立４６ｂとＺ軸回りの位置が重なり合っていた。
【００５４】
（実験Ａ）
第１衝立４６ａの高さＨ1をＨ1＝２６．５（ｍｍ）で一定として、第２衝立４６ｂの高さＨ2（＝Ｈmin）を種々に変更した。この実験Ａでは、Ｈ1＜ＲBであるので、Ｚ軸に沿ってホルダ４５側から偏向ヨーク３０を見たとき第１衝立４６ａの外周縁より外側に金属ネジ３８の頭部の一部が露出していた。
【００５５】
実験条件と評価結果を表１にまとめて示す。
【００５６】
【表１】
2006012728.tif 000003
【００５７】
サンプル番号Ａ−１は第１衝立４６ａの外周縁より外側に金属ネジ３８の一部が露出していたこと、及びＨmin＞ＲMを満足していないことにより、また、サンプル番号Ａ−２〜Ａ−７は第１衝立４６ａの外周縁より外側に金属ネジ３８の一部が露出していたことにより、何れも放電が発生した。
【００５８】
また、サンプル番号Ａ−１〜Ａ−７は何れもＨM−Ｈ2＞１０（ｍｍ）を満足しているので、マグネットリング４１ａ，４１ｂの回転調整の作業性は良好であった。
【００５９】
（実験Ｂ）
第１衝立４６ａの高さＨ1をＨ1＝２７．５（ｍｍ）で一定として、第２衝立４６ｂの高さＨ2（＝Ｈmin）を種々に変更した。この実験Ｂでは、Ｈ1＝ＲBであるので、Ｚ軸に沿ってホルダ４５側から偏向ヨーク３０を見たとき第１衝立４６ａに金属ネジ３８の頭部がちょうど隠れていた。
【００６０】
実験条件と評価結果を表２にまとめて示す。
【００６１】
【表２】
2006012728.tif 000004
【００６２】
サンプル番号Ｂ−１はＨmin＞ＲMを満足していないことにより放電が発生した。一方、サンプル番号Ｂ−２〜Ｂ−８では放電が発生しなかった。
【００６３】
また、ＨM−Ｈ2＞１０（ｍｍ）を満足するサンプル番号Ｂ−１〜Ｂ−６ではマグネットリング４１ａ，４１ｂの回転調整の作業性は良好であった。
【００６４】
（実験Ｃ）
第１衝立４６ａの高さＨ1をＨ1＝２８．５（ｍｍ）で一定として、第２衝立４６ｂの高さＨ2（＝Ｈmin）を種々に変更した。この実験Ｃでは、Ｈ1＞ＲB且つＷP1＞ＬBであるので、Ｚ軸に沿ってホルダ４５側から偏向ヨーク３０を見たとき第１衝立４６ａにより金属ネジ３８は完全に隠れていた。
【００６５】
実験条件と評価結果を表３にまとめて示す。
【００６６】
【表３】
2006012728.tif 000005
【００６７】
サンプル番号Ｃ−１はＨmin＞ＲMを満足していないために放電が発生した。一方、サンプル番号Ｃ−２〜Ｃ−９では放電が発生しなかった。
【００６８】
また、ＨM−Ｈ2＞１０（ｍｍ）を満足するサンプル番号Ｃ−１〜Ｃ−６ではマグネットリング４１ａ，４１ｂの回転調整の作業性は良好であった。
【産業上の利用可能性】
【００６９】
本発明の利用分野は特に限定されず、テレビ受像機やコンピュータディスプレイ等に広範囲に利用できる。
【図面の簡単な説明】
【００７０】
【図１】本発明の一実施形態に係るカラー陰極線管装置の概略構成を示す半断面図である。
【図２】本発明の一実施形態に係るカラー陰極線管装置において、偏向ヨークの電子銃側端の概略構成を示した斜視図である。
【図３】図３（Ａ）は本発明の一実施形態に係るカラー陰極線管装置において、ＣＰＵを構成する環状のマグネットリングの概略構成を示した分解斜視図、図３（Ｂ）はマグネットリングの正面図である。
【図４】図４（Ａ）は本発明の一実施形態に係るカラー陰極線管装置において、速度変調コイルの概略構成を示した斜視図、図４（Ｂ）は速度変調コイルを構成するループ状コイルの展開図である。
【図５】図５（Ａ）は本発明の一実施形態に係るカラー陰極線管装置において、ＣＰＵ周辺の側面図、図５（Ｂ）は図５（Ａ）の５Ｂ−５Ｂ線での矢視断面図である。
【図６】図６（Ａ）は本発明の一実施形態に係るカラー陰極線管装置において、衝立周辺の上面図、図６（Ｂ）は図６（Ａ）の矢印６Ｂに沿って見た背面図である。
【図７】脱着可能なバリアをＣＰＵのホルダに装着した従来のカラー陰極線管装置における放電を説明するための片断面図である。
【符号の説明】
【００７１】
１  カラー陰極線管装置
１０  カラー陰極線管
１１  フェースパネル
１２  ファンネル
１３  ネック部
１４  蛍光体スクリーン
１５  シャドウマスク
１６  電子銃
１８  電子ビーム
３０  偏向ヨーク
３１  水平偏向コイル
３２  垂直偏向コイル
３３  フェライトコア
３５  絶縁枠
３５ａ  円筒部
３７  金属バンド
３８  金属ネジ
４０  ＣＰＵ
４１  第１磁石
４１ａ，４１ｂ  マグネットリング
４１ａ1，４２ｂ1  摘み部
４２  第２磁石
４３  第３磁石
４４  第４磁石
４５  ホルダ
４６  衝立
４６ａ  第１衝立
４６ｂ  第２衝立
５０  速度変調コイル
５０ａ，５０ｂ  ループ状コイル
６１  第１放電路
６２  第２放電路
【図１】
2006012728.tif 000006
【図２】
2006012728.tif 000007
【図３】
2006012728.tif 000008
【図４】
2006012728.tif 000009
【図５】
2006012728.tif 000010
【図６】
2006012728.tif 000011
【図７】
2006012728.tif 000012